(57)【要約】【課題】複数の地紋画像が存在する場合に、複数の地紋画像に関する情報の欠落を防止することが可能な画像形成装置、情報処理装置、画像形成プログラム、画像形成装置制御プログラムを提供する。【解決手段】印刷データ受信部が印刷データを受信すると、地紋情報検出部が印刷データに属性として地紋情報が付加されているか否か検出し、地紋情報が付加されている場合、描画部が印刷データから印刷画像を作成し、地紋情報処理部が地紋情報選択設定部で選択されている地紋情報を確認し、描画部が地紋情報選択部で選択されている地紋情報を基に地紋画像を作成し、その他の地紋情報を印刷画像の特定位置に付加し、画像形成部が印刷画像に地紋画像を付加して画像形成を行い、処理手順を終了する。【選択図】図２
2009147518.tif 000002
【特許請求の範囲】
【請求項１】
通信インターフェースを介して受信した印刷データから印刷画像を作成する印刷画像作成手段と、
地紋画像を付加するための地紋情報が前記印刷データに付加されているか否か検出する地紋情報検出手段と、
前記地紋情報検出手段が複数の地紋情報を検出した場合、該複数の地紋情報から前記地紋画像を作成する地紋情報を選択する地紋情報選択手段と、
前記地紋情報選択手段で選択した地紋情報に基づいて地紋画像を作成する地紋画像作成手段と、
前記地紋情報選択手段で選択しなかった他の地紋情報を前記印刷画像の特定位置に付加する地紋情報付加手段と、
前記地紋情報付加手段で前記特定位置に前記他の地紋情報が付加された印刷画像に前記地紋画像作成手段で作成した地紋画像を付加して画像形成する画像形成手段と
を具備することを特徴とする画像形成装置。
【請求項２】
前記地紋情報選択手段で選択する地紋情報を予め設定する地紋情報選択設定手段
を更に具備することを特徴とする請求項１記載の画像形成装置。
【請求項３】
アプリケーションで印刷要求されたデータから印刷データを作成する印刷データ作成手段と、
地紋画像を付加するための地紋情報が前記データに付加されているか否か検出する地紋情報検出手段と、
前記地紋情報検出手段が複数の地紋情報を検出した場合、該複数の地紋情報から前記地紋画像を作成する地紋情報を選択する地紋情報選択手段と、
前記地紋情報選択手段で選択した地紋情報に基づく地紋画像を前記印刷データに付加する地紋画像付加手段と、
前記地紋情報選択手段で選択しなかった他の地紋情報を前記印刷データの特定位置に付加する地紋情報付加手段と、
前記地紋画像および前記他の地紋情報が付加された印刷データを、通信インターフェースを介して接続する画像形成装置に送信する送信手段と
を具備することを特徴とする情報処理装置。
【請求項４】
前記地紋情報選択手段で選択する地紋情報を予め設定する地紋情報選択設定手段
を更に具備することを特徴とする請求項３記載の情報処理装置。
【請求項５】
通信インターフェースを介して受信した印刷データから印刷画像を作成する印刷画像作成処理と、
地紋画像を付加するための地紋情報が前記印刷データに付加されているか否か検出する地紋情報検出処理と、
複数の地紋情報を検出した場合、該複数の地紋情報から前記地紋画像を作成する地紋情報を選択する地紋情報選択処理と、
前記地紋情報選択処理で選択した地紋情報に基づいて地紋画像を作成する地紋画像作成処理と、
前記地紋情報選択処理で選択しなかった他の地紋情報を前記印刷画像の特定位置に付加する地紋情報付加処理と、
前記特定位置に前記他の地紋情報が付加された印刷画像に前記地紋画像を付加して画像形成する画像形成処理と
を画像形成装置に対して実行させることを特徴とする画像形成プログラム。
【請求項６】
前記地紋情報選択処理で選択する地紋情報を予め設定する地紋情報選択設定処理
を更に画像形成装置に対して実行させることを特徴とする請求項５記載の画像形成プログラム。
【請求項７】
アプリケーションで印刷要求されたデータから印刷データを作成する印刷データ作成処理と、
地紋画像を付加するための地紋情報が前記データに付加されているか否か検出する地紋情報検出処理と、
複数の地紋情報を検出した場合、該複数の地紋情報から前記地紋画像を作成する地紋情報を選択する地紋情報選択処理と、
前記地紋情報選択処理で選択した地紋情報に基づく地紋画像を前記印刷データに付加する地紋画像付加処理と、
前記地紋情報選択処理で選択しなかった他の地紋情報を前記印刷データの特定位置に付加する地紋情報付加処理と、
前記地紋画像および前記他の地紋情報が付加された印刷データを、通信インターフェースを介して接続する画像形成装置に送信する送信処理と
をコンピュータに実行させることを特徴とする画像形成装置制御プログラム。
【請求項８】
前記地紋情報選択処理で選択する地紋情報を予め設定する地紋情報選択設定処理
を更にコンピュータに実行させることを特徴とする請求項７記載の画像形成装置制御プログラム。
【発明の詳細な説明】
【技術分野】
【０００１】
本発明は、画像形成装置、情報処理装置、画像形成プログラム、画像形成装置制御プログラムに関する。
【背景技術】
【０００２】
近年、文書のセキュリティに関する意識の高まりから、プリンタ等の画像形成装置で形成する印刷結果に複写牽制模様（以後、地紋画像と称する）を付加する技術が開発されている（例えば、特許文献１参照。）。
【０００３】
そして、この技術は画像形成装置だけに搭載されるわけではなく、画像形成装置の制御プログラムとしてＰＣ等の情報処理装置に組み込まれる画像形成装置制御プログラム（例えば、プリンタドライバ等）にも搭載され、地紋画像の多重印刷を回避可能な画像処理システムがある（例えば、特許文献２、特許文献３参照。）。
【０００４】
更に、この技術は文書を作成するためのアプリケーションソフト等にも搭載されている（例えば、特許文献４参照。）。
【特許文献１】特開２００１−１９７２９７号公報
【特許文献２】特開２００５−２５２７５０号公報
【特許文献３】特開２００７−１５３７０号公報
【特許文献４】特開２００４−１１２６０６号公報
【発明の開示】
【発明が解決しようとする課題】
【０００５】
本発明は、複数の地紋画像が存在する場合に、複数の地紋画像に関する情報の欠落を防止することが可能な画像形成装置、情報処理装置、画像形成プログラム、画像形成装置制御プログラムを提供することを目的とする。
【課題を解決するための手段】
【０００６】
上記目的を達成するため、請求項１の発明は、通信インターフェースを介して受信した印刷データから印刷画像を作成する印刷画像作成手段と、地紋画像を付加するための地紋情報が前記印刷データに付加されているか否か検出する地紋情報検出手段と、前記地紋情報検出手段が複数の地紋情報を検出した場合、該複数の地紋情報から前記地紋画像を作成する地紋情報を選択する地紋情報選択手段と、前記地紋情報選択手段で選択した地紋情報に基づいて地紋画像を作成する地紋画像作成手段と、前記地紋情報選択手段で選択しなかった他の地紋情報を前記印刷画像の特定位置に付加する地紋情報付加手段と、前記地紋情報付加手段で前記特定位置に前記他の地紋情報が付加された印刷画像に前記地紋画像作成手段で作成した地紋画像を付加して画像形成する画像形成手段とを具備することを特徴とする。
【０００７】
また、請求項２の発明は、請求項１の発明において、前記地紋情報選択手段で選択する地紋情報を予め設定する地紋情報選択設定手段を更に具備することを特徴とする。
【０００８】
また、請求項３の発明は、アプリケーションで印刷要求されたデータから印刷データを作成する印刷データ作成手段と、地紋画像を付加するための地紋情報が前記データに付加されているか否か検出する地紋情報検出手段と、前記地紋情報検出手段が複数の地紋情報を検出した場合、該複数の地紋情報から前記地紋画像を作成する地紋情報を選択する地紋情報選択手段と、前記地紋情報選択手段で選択した地紋情報に基づく地紋画像を前記印刷データに付加する地紋画像付加手段と、前記地紋情報選択手段で選択しなかった他の地紋情報を前記印刷データの特定位置に付加する地紋情報付加手段と、前記地紋画像および前記他の地紋情報が付加された印刷データを、通信インターフェースを介して接続する画像形成装置に送信する送信手段とを具備することを特徴とする。
【０００９】
また、請求項４の発明は、請求項３の発明において、前記地紋情報選択手段で選択する地紋情報を予め設定する地紋情報選択設定手段を更に具備することを特徴とする。
【００１０】
また、請求項５の発明は、通信インターフェースを介して受信した印刷データから印刷画像を作成する印刷画像作成処理と、地紋画像を付加するための地紋情報が前記印刷データに付加されているか否か検出する地紋情報検出処理と、複数の地紋情報を検出した場合、該複数の地紋情報から前記地紋画像を作成する地紋情報を選択する地紋情報選択処理と、前記地紋情報選択処理で選択した地紋情報に基づいて地紋画像を作成する地紋画像作成処理と、前記地紋情報選択処理で選択しなかった他の地紋情報を前記印刷画像の特定位置に付加する地紋情報付加処理と、前記特定位置に前記他の地紋情報が付加された印刷画像に前記地紋画像を付加して画像形成する画像形成処理とを画像形成装置に対して実行させることを特徴とする。
【００１１】
また、請求項６の発明は、請求項５の発明において、前記地紋情報選択処理で選択する地紋情報を予め設定する地紋情報選択設定処理を更に画像形成装置に対して実行させることを特徴とする。
【００１２】
また、請求項７の発明は、アプリケーションで印刷要求されたデータから印刷データを作成する印刷データ作成処理と、地紋画像を付加するための地紋情報が前記データに付加されているか否か検出する地紋情報検出処理と、複数の地紋情報を検出した場合、該複数の地紋情報から前記地紋画像を作成する地紋情報を選択する地紋情報選択処理と、前記地紋情報選択処理で選択した地紋情報に基づく地紋画像を前記印刷データに付加する地紋画像付加処理と、前記地紋情報選択処理で選択しなかった他の地紋情報を前記印刷データの特定位置に付加する地紋情報付加処理と、前記地紋画像および前記他の地紋情報が付加された印刷データを、通信インターフェースを介して接続する画像形成装置に送信する送信処理とをコンピュータに実行させることを特徴とする。
【００１３】
また、請求項８の発明は、請求項７の発明において、前記地紋情報選択処理で選択する地紋情報を予め設定する地紋情報選択設定処理を更にコンピュータに実行させることを特徴とする。
【発明の効果】
【００１４】
請求項１、３、５および７に記載の発明は、複数の地紋画像が存在する場合に、複数の地紋画像に関する情報の欠落を防止することが可能となる。
【００１５】
請求項２、４、６および８に記載の発明は、複数の地紋画像が存在する場合に、ユーザが希望する地紋画像を選択することが可能となる。
【発明を実施するための最良の形態】
【００１６】
以下、本発明に係る画像形成装置、情報処理装置、画像形成プログラム、画像形成装置制御プログラムの実施の形態について添付図面を参照して詳細に説明する。
【実施例１】
【００１７】
図１は、画像形成装置１で画像形成する印刷結果に地紋画像を付加する実施例１について説明する図である。
【００１８】
図１に示すように、ＰＣ等の情報処理装置２が画像形成装置１と接続し、情報処理装置２にはファイル、画像等のデータを作成するためのアプリケーション３と、画像形成装置１を制御し、アプリケーション３の印刷指示に応じて印刷を行うためのソフトウェアである画像形成装置制御プログラム（例えば、プリンタドライバ等）４とが組み込まれている。なお、画像形成装置１と情報処理装置２との接続形態は、ネットワーク経由の接続、ＵＳＢ接続、無線ＬＡＮ接続等であり、特に限定しない。
【００１９】
アプリケーション３は、作成したデータの印刷指示を受け付けると、当該データを画像形成装置制御プログラム４に渡す。アプリケーション３は印刷結果に地紋画像を付加する機能を有しており、当該機能は地紋画像を付加する情報（以後、地紋情報Ａと称する）を属性としてデータに付加する。
【００２０】
画像形成装置制御プログラム４は、アプリケーション３から印刷指示されたデータから画像形成装置１で解釈が可能な印刷データ（例えば、ＰＤＬ等）を作成し、作成した印刷データを画像形成装置１に送信する。画像形成装置制御プログラム４は印刷結果に地紋画像を付加する機能を有しており、当該機能は地紋画像を付加する情報（以後、地紋情報Ｂと称する）を属性として印刷データに付加する。なお、データに地紋情報Ａが付加されている場合は地紋情報Ａも属性として印刷データに付加する。
【００２１】
画像形成装置１は情報処理装置２から受信した印刷データからビットマップデータ等の印刷画像を作成し、作成した印刷画像を印刷媒体に画像形成する。画像形成装置１は印刷結果に地紋画像を付加する機能を有しており、当該機能は地紋画像を付加する情報（以後、地紋情報Ｃと称する）から地紋画像を作成し、作成した地紋画像を印刷画像に合成する。なお、印刷データに地紋情報Ａが付加されている場合、印刷データに地紋情報Ｂが付加されている場合、または印刷データに地紋情報Ａと地紋情報Ｂとが付加されている場合については後述する。また、実施例１において、地紋画像を付加する機能を有していない画像形成装置１でも適用可能である。
【００２２】
図２は、本発明に係る画像形成装置１の機能的な構成の一例を示す図である。
【００２３】
図２に示すように、画像形成装置１は、印刷データ受信部５、地紋情報検出部６、地紋情報記憶部７、地紋情報選択設定部８、地紋情報処理部９、描画部１０、画像形成部１１を具備して構成される。
【００２４】
印刷データ受信部５は、情報処理装置２から送信されてくる印刷データを受信する処理を行う。
【００２５】
地紋情報検出部６は、印刷データ受信部５で受信した印刷データに属性として地紋情報（例えば、地紋情報Ａ、地紋情報Ｂ）が付加されているか否か検出する処理を行う。
【００２６】
地紋情報記憶部７は、画像形成装置１が有する地紋画像を付加する機能で使用される地紋情報Ｃを記憶する記憶領域である。
【００２７】
地紋情報選択設定部８は、地紋情報が付加されている印刷データを印刷する際に、地紋画像として使用する地紋情報の選択を設定する処理を行う。例えば、地紋情報Ａが選択されている場合は地紋情報Ａから作成した地紋画像を印刷画像に付加して画像形成され、地紋情報Ｂが選択されている場合は地紋情報Ｂから作成した地紋画像を印刷画像に付加して画像形成され、地紋情報Ｃが選択されている場合は地紋情報Ｃから作成した地紋画像を印刷画像に付加して画像形成される。
【００２８】
地紋情報処理部９は、地紋情報検出部６が印刷データに地紋情報が付加されていることを検出した場合、地紋情報選択設定部８で設定されている地紋情報から地紋画像を作成するように描画部１０に指示するとともに、地紋情報選択設定部８で設定されていない他の地紋情報をヘッダー、フッター等の位置（以後、特定位置と称する）に印字するように描画部１０に指示する。
【００２９】
描画部１０は、地紋情報処理部９から地紋画像を作成するように指示された地紋情報に基づいて地紋画像を作成し、印刷データから印刷画像を作成し、地紋情報処理部９から特定位置に印字するように指示された地紋情報を、作成した印刷画像の特定位置に付加し、地紋画像と印刷画像とを画像形成部１１に渡す。
【００３０】
画像形成部１１は、描画部１０から受け取った地紋画像を印刷画像に付加して印刷媒体に画像形成する処理を行う。
【００３１】
なお、上述した印刷データ受信部５、地紋情報検出部６、地紋情報記憶部７、地紋情報選択設定部８、地紋情報処理部９を機能として具備する画像形成プログラムを汎用の画像形成装置に組み込んだ構成を適用することも可能である。その際には、画像形成装置の記憶部に画像形成プログラムが記憶され、画像形成装置のＣＰＵが記憶部に記憶されている画像形成プログラムを実行することになる。また、画像形成プログラムは、例えば、各種メモリ、光ディスク等の記憶媒体に記憶して提供することが可能であり、例えば、ネットワーク等の通信回線を介して配信することも可能である。
【００３２】
次に、印刷データに複数の地紋情報が付加されている場合の地紋情報の処理の具体例について説明する。
【００３３】
例えば、図３に示すような地紋情報が設定されている。なお、地紋情報Ａ（use,192.168.0.100,2007/10/16 17:28）はアプリケーション３が有する機能によって付加される地紋情報であり、地紋情報Ｂ（VOID,2007/10/16 17:30）は画像形成装置制御プログラム４が有する機能によって付加される地紋情報であり、地紋情報Ｃ（Confidential）は画像形成装置１が有する機能によって付加される地紋情報である。
【００３４】
地紋情報選択設定部８で地紋情報Ａが選択されている場合、図４に示すように、地紋情報Ａから作成した「use,192.168.0.100,2007/10/16 17:28」を含む地紋画像を印刷画像に付加して画像形成され、更に、地紋情報Ｂ（VOID,2007/10/16 17:30）および地紋情報Ｃ（Confidential）が印刷画像の特定位置（図ではフッター）に印字される。
【００３５】
地紋情報選択設定部８で地紋情報Ｂが選択されている場合、図５に示すように、地紋情報Ｂから作成した「VOID,2007/10/16 17:30」を含む地紋画像を印刷画像に付加して画像形成され、更に、地紋情報Ａ（use,192.168.0.100,2007/10/16 17:28）および地紋情報Ｃ（Confidential）が印刷画像の特定位置（図ではフッター）に印字される。
【００３６】
地紋情報選択設定部８で地紋情報Ｃが選択されている場合、図６に示すように、地紋情報Ｃから作成した「Confidential」を含む地紋画像を印刷画像に付加して画像形成され、更に、地紋情報Ａ（use,192.168.0.100,2007/10/16 17:28）および地紋情報Ｂ（VOID,2007/10/16 17:30）が印刷画像の特定位置（図ではフッター）に印字される。
【００３７】
次に、画像形成装置１で行われる処理の流れの一例について図７に示すフローチャートを参照して説明する。
【００３８】
印刷データ受信部が印刷データを受信すると（Ｓ７０１）、地紋情報検出部が印刷データに属性として地紋情報が付加されているか否か検出し（Ｓ７０２）、地紋情報が付加されている場合（Ｓ７０２でＹＳＥ）、Ｓ７０３に進み、また、地紋情報が付加されていない場合（Ｓ７０２でＮＯ）、Ｓ７０８に進む。
【００３９】
地紋情報が付加されている場合（Ｓ７０２でＹＳＥ）、描画部が印刷データから印刷画像を作成し（Ｓ７０３）、地紋情報処理部が地紋情報選択設定部で選択されている地紋情報を確認し（Ｓ７０４）、描画部が地紋情報選択部で選択されている地紋情報を基に地紋画像を作成し（Ｓ７０５）、その他の地紋情報を印刷画像の特定位置に付加し（Ｓ７０６）、画像形成部が印刷画像に地紋画像を付加して画像形成を行い（Ｓ７０７）、処理手順を終了する。
【００４０】
また、地紋情報が付加されていない場合（Ｓ７０２でＮＯ）、描画部が印刷データから印刷画像を作成し（Ｓ７０８）、画像形成部が印刷画像の画像形成を行い（Ｓ７０９）、処理手順を終了する。
【実施例２】
【００４１】
図８は、画像形成装置１で画像形成する印刷結果に地紋画像を付加する実施例２について説明する図である。
【００４２】
図８に示すように、ＰＣ等の情報処理装置２が画像形成装置１と接続し、情報処理装置２にはファイル、画像等のデータを作成するためのアプリケーション３と、画像形成装置１を制御し、アプリケーション３の印刷指示に応じて印刷を行うためのソフトウェアである画像形成装置制御プログラム（例えば、プリンタドライバ等）４とが組み込まれている。なお、画像形成装置１と情報処理装置２との接続形態は、ネットワーク経由の接続、ＵＳＢ接続、無線ＬＡＮ接続等であり、特に限定しない。
【００４３】
アプリケーション３は、作成したデータの印刷指示を受け付けると、当該データを画像形成装置制御プログラム４に渡す。アプリケーション３は印刷結果に地紋画像を付加する機能を有しており、当該機能は地紋画像を付加する情報（以後、地紋情報Ａと称する）を属性としてデータに付加する。
【００４４】
画像形成装置制御プログラム４は、アプリケーション３から印刷指示されたデータから画像形成装置１で解釈が可能な印刷データ（例えば、ＰＤＬ等）を作成し、作成した印刷データを画像形成装置１に送信する。画像形成装置制御プログラム４は印刷結果に地紋画像を付加する機能を有しており、当該機能は地紋画像を付加する情報（以後、地紋情報Ｂと称する）を属性として印刷データに付加する。なお、データに地紋情報Ａが付加されている場合は地紋情報Ａも属性として印刷データに付加する。
【００４５】
画像形成装置１は情報処理装置２から受信した印刷データからビットマップデータ等の印刷画像を作成し、作成した印刷画像を印刷媒体に画像形成する。なお、実施例２における画像形成装置１は印刷結果に地紋画像を付加する機能を有していない。なお、印刷データに地紋情報Ａと地紋情報Ｂとが付加されている場合については後述する。
【００４６】
図９は、情報処理装置２で起動している本発明に係る画像形成装置制御プログラム４の機能的な構成の一例を示す図である。
【００４７】
図９に示すように、画像形成装置制御プログラム４は、データ受付部１２、地紋情報検出部６、地紋情報記憶部７、地紋情報選択設定部８、地紋情報処理部９、印刷データ作成部１３、印刷データ送信部１４を具備して構成される。
【００４８】
データ受付部１２は、アプリケーション３から印刷対象となるファイル、画像等のデータを受け付ける処理を行う。
【００４９】
地紋情報検出部６は、データ受付部１２で受け付けたデータに属性として地紋情報（例えば、地紋情報Ａ）が付加されているか否か検出する処理を行う。
【００５０】
地紋情報記憶部７は、画像形成装置制御プログラム４が有する地紋画像を付加する機能で使用される地紋情報Ｂを記憶する記憶領域である。
【００５１】
地紋情報選択設定部８は、地紋情報が付加されているデータを印刷する際に、地紋画像として使用する地紋情報の選択を設定する処理を行う。例えば、地紋情報Ａが選択されている場合は地紋情報Ａから作成した地紋画像を付加した印刷データが作成され、地紋情報Ｂが選択されている場合は地紋情報Ｂから作成した地紋画像を付加した印刷データが作成される。
【００５２】
地紋情報処理部９は、地紋情報検出部６がデータに地紋情報が付加されていることを検出した場合、地紋情報選択設定部８で設定されている地紋情報から作成した地紋画像を印刷データに付加するように印刷データ作成部１３に指示するとともに、地紋情報選択設定部８で設定されていない他の地紋情報をヘッダー、フッター等の位置（以後、特定位置と称する）に付加した印刷データを作成するように印刷データ作成部１３に指示する。
【００５３】
印刷データ作成部１３は、データから印刷データを作成し、作成した印刷データの特定位置に地紋情報処理部９から指示された他の地紋情報を付加するとともに、印刷データに地紋情報処理部９から指示された地紋情報に基づく地紋画像を付加する。
【００５４】
印刷データ送信部１４は、印刷データ作成部１３で作成した印刷データを、Ｉ／Ｆ１５を介して画像形成装置１に対して送信する処理を行う。
【００５５】
なお、画像形成プログラム４は、例えば、各種メモリ、光ディスク等の記憶媒体に記憶して提供することが可能であり、例えば、ネットワーク等の通信回線を介して配信することも可能である。
【００５６】
なお、印刷データに複数の地紋情報が付加されている場合の地紋情報の処理の具体例については、図３を参照する。
【００５７】
次に、画像形成装置制御プログラム４で行われる処理の流れの一例について図１０に示すフローチャートを参照して説明する。
【００５８】
データ受付部がアプリケーションからデータを受け付けると（Ｓ１００１）、地紋情報検出部がデータに属性として地紋情報が付加されているか否か検出し（Ｓ１００２）、地紋情報が付加されている場合（Ｓ１００２でＹＳＥ）、Ｓ１００３に進み、また、地紋情報が付加されている場合（Ｓ１００２でＮＯ）、Ｓ１００８に進む。
【００５９】
地紋情報が付加されている場合（Ｓ１００２でＹＳＥ）、印刷データ作成部がデータから印刷データを作成し（１００３）、地紋情報処理部が地紋情報選択設定部で選択されている地紋情報を確認し（Ｓ１００４）、印刷データ作成部が地紋情報選択部で選択されている地紋情報に基づく地紋画像を印刷データに付加し（Ｓ１００５）、その他の地紋情報を印刷データの特定位置に付加し（Ｓ１００６）、印刷データ送信部が印刷データを画像形成装置に対して送信し（Ｓ１００７）、処理手順を終了する。
【００６０】
また、地紋情報が付加されていない場合（Ｓ１００２でＮＯ）、印刷データ作成部がデータから印刷データを作成し（Ｓ１００８）、印刷データ送信部が印刷データを画像形成装置に対して送信し（Ｓ１００７）、処理手順を終了する。
【図面の簡単な説明】
【００６１】
【図１】画像形成装置で画像形成する印刷結果に地紋画像を付加する実施例１について説明する図である。
【図２】本発明に係る画像形成装置の機能的な構成の一例を示す図である。
【図３】印刷データに複数の地紋情報が付加されている場合の地紋情報の処理の具体例について説明する図である。
【図４】印刷データに複数の地紋情報が付加されている場合の地紋情報の処理の具体例について説明する図である。
【図５】印刷データに複数の地紋情報が付加されている場合の地紋情報の処理の具体例について説明する図である。
【図６】印刷データに複数の地紋情報が付加されている場合の地紋情報の処理の具体例について説明する図である。
【図７】画像形成装置で行われる処理の流れの一例を示すフローチャートである。
【図８】画像形成装置で画像形成する印刷結果に地紋画像を付加する実施例２について説明する図である。
【図９】情報処理装置で起動している本発明に係る画像形成装置制御プログラムの機能的な構成の一例を示す図である。
【図１０】画像形成装置で行われる処理の流れの一例を示すフローチャートである。
【符号の説明】
【００６２】
１    画像形成装置
２    情報処理装置
３    アプリケーション
４    画像形成装置制御プログラム
５    印刷データ受信部
６    地紋情報検出部
７    地紋情報記憶部
８    地紋情報選択設定部
９    地紋情報処理部
１０    描画部
１１    画像形成部
１２    データ受付部
１３    印刷データ作成部
１４    印刷データ送信部
１５    Ｉ／Ｆ
【図１】
2009147518.tif 000003
【図２】
2009147518.tif 000004
【図３】
2009147518.tif 000005
【図４】
2009147518.tif 000006
【図５】
2009147518.tif 000007
【図６】
2009147518.tif 000008
【図７】
2009147518.tif 000009
【図８】
2009147518.tif 000010
【図９】
2009147518.tif 000011
【図１０】
2009147518.tif 000012